(57)【特許請求の範囲】
【請求項１】
パッド支持部材と、
ライニングとこのライニングの裏面を支持したプレッシャプレートとを有し、前記パッド支持部材に対し軸方向の移動を可能に支持されたパッドと、
を備えたディスクブレーキ装置であって、
前記パッド支持部材のうちで、前記プレッシャプレートの周方向端部に対し、周方向に対向する周方向内側面のうち、制動時又は非制動時に、周方向に関して前記プレッシャプレートの周方向端部と重畳する位置に、前記パッド支持部材の外面に連通する冷却孔が設けられている事を特徴とするディスクブレーキ装置。
【請求項２】
前記冷却孔は、前記パッド支持部材のうちで、前記プレッシャプレートの周方向一方側の端部に対し、周方向に対向する周方向内側面のうち、制動時又は非制動時に、周方向に関して前記プレッシャプレートの周方向一方側の端部と重畳する位置に設けられていると共に、前記プレッシャプレートの周方向他方側の端部に対し、周方向に対向する周方向内側面と軸方向に対向する軸方向内側面との少なくとも何れか一方に設けられている、請求項１に記載したディスクブレーキ装置。
【請求項３】
前記冷却孔が設けられた前記周方向内側面は、制動時に、前記パッドに作用するトルクを支承するトルク受面である、請求項１〜２のうちの何れか１項に記載したディスクブレーキ装置。
【請求項４】
前記パッド支持部材と前記パッドとの間にパッドクリップが設けられており、前記プレッシャプレートの周方向端部と前記周方向内側面との間に配置される前記パッドクリップの被挟持板部のうち、前記周方向内側面に設けられた前記冷却孔と整合する部分に、貫通孔が設けられている、請求項１〜３のうちの何れか１項に記載したディスクブレーキ装置。
【請求項５】
前記冷却孔が設けられた前記周方向内側面は、径方向外方から覆われずに径方向に露出している、請求項１〜４のうちの何れか１項に記載したディスクブレーキ装置。
【請求項６】
前記パッド支持部材が、対向ピストン型ディスクブレーキ装置を構成するキャリパである、請求項１〜５のうちの何れか１項に記載したディスクブレーキ装置。
【請求項７】
パッド支持部材に対しパッドを軸方向の移動を可能に支持したディスクブレーキ装置に組み付けられる、ディスクブレーキ装置用パッドクリップであって、
前記パッドを構成するプレッシャプレートの周方向端部と、このプレッシャプレートの周方向端部に対し周方向に対向する前記パッド支持部材の周方向内側面との間に配置される被挟持板部のうち、組み付け状態で、前記周方向内側面に設けられた冷却孔と整合する部分に、貫通孔が設けられている事を特徴とするディスクブレーキ装置用パッドクリップ。
【発明の詳細な説明】
【技術分野】
【０００１】
本発明は、自動車等の車両の制動を行う為に使用するディスクブレーキ装置、及び、ディスクブレーキ装置に組み込んで使用するバッドクリップの改良に関する。
【背景技術】
【０００２】
自動車の制動に使用するディスクブレーキ装置は、車輪と共に回転するロータを挟んで１対のパッドを配置し、制動時には、これら両パッドをこのロータの軸方向両側面に押し付ける様に構成している。この様なディスクブレーキ装置の基本的構造としては、フローティング型と対向ピストン型との２種類がある。
【０００３】
このうちのフローティング型のものは、１対のパッドを軸方向の変位を可能に支持したサポートに、インナ側にピストンを内蔵したキャリパを、軸方向の変位を可能に支持している。制動時には、このピストンによりインナ側のパッドをロータのインナ側面に押し付け、その反作用として前記キャリパをインナ側に変位させる。そして、このキャリパのアウタ側端部に設けたキャリパ爪部により、アウタ側のパッドを前記ロータのアウタ側面に押し付ける。又、対向ピストン型のものは、１対のパッドを軸方向の変位を可能に支持したキャリパに複数のピストンを、ロータの軸方向両側に配置した状態で設けている。制動時には、これら各ピストンにより前記両パッドを、前記ロータの軸方向両側面に押し付ける。何れの場合でも、これら両パッドは、十分な剛性を有するプレッシャプレートの前面にライニングを添着して成る。そして、制動時に、前記ピストン又は前記キャリパ爪部により、このうちのプレッシャプレートの背面を押圧し、前記ライニングの前面と前記ロータの軸方向両側面とを摩擦させる。
尚、本明細書及び特許請求の範囲で、「軸方向」、「周方向」、「径方向」とは、特に断らない限り、ロータの軸方向、周方向、径方向をそれぞれ言う。更に、回入側とは、車両の前進時に、車輪と共に回転するロータがキャリパに対して入り込む側を言い、回出側とは、同じく抜け出て行く側を言う。
【０００４】
何れの構造のディスクブレーキ装置の場合にも、制動時には１対のパッドによりロータを軸方向両側から強く挟持し、これら両パッドを構成するライニングとこのロータの軸方向両側面との当接部に作用する摩擦力により制動を行う。この為、制動時には、この当接部に摩擦熱が発生する。そして、この摩擦熱が、ライニングからプレッシャプレートへと伝わる事で、プレッシャプレートが高温（例えば３００℃以上）になる。又、プレッシャプレートが高温になると、このプレッシャプレートの熱が、パッドを支持したサポートやキャリパ等のパッド支持部材に伝わる。この結果、パッド支持部材が高温になり、このパッド支持部材に変形が生じ易くなったり、ベーパーロック現象といった不都合が生じ易くなる。特にディスクブレーキ装置の軽量化を目的として、パッド支持部材をアルミニウム合金製とした場合、アルミニウム合金は鉄系合金に比べてヤング率が低く、しかも温度上昇に伴いヤング率が低下する為、剛性が低下し易く、変形が生じ易くなる。
【０００５】
尚、本発明に関連する先行技術文献として、特許文献１に記載された発明がある。この特許文献１には、アンチラトルスプリングに、外部からロータの摩擦面及びその周辺部に向けて走行風を誘導する為の導風路を設ける発明が記載されている。この様な特許文献１に記載された発明によれば、ロータが高温になる事を抑制でき、フェード現象などが発生する事をある程度抑制できる。但し、この様な特許文献１に記載された発明の場合にも、パッドを構成するプレッシャプレートからパッド支持部材に熱が伝わる事を十分に防止する事はできない。この為、パッド支持部材が高温になり、上述した様な変形やベーパーロック現象等の不都合を生じ易くなる。
【先行技術文献】
【特許文献】
【０００６】
【特許文献１】特開２００２−２５０３８２号公報
【発明の概要】
【発明が解決しようとする課題】
【０００７】
本発明は、上述の様な事情に鑑みて、パッドを構成するプレッシャプレートからパッド支持部材に対して、制動時に発生した熱が伝わる事を有効に防止できる、ディスクブレーキ装置の構造を実現すると共に、この様なディスクブレーキ装置に組み込んで使用するのに適したパッドクリップの構造を実現すべく発明したものである。
【課題を解決するための手段】
【０００８】
本発明のディスクブレーキ装置及びディスクブレーキ装置用パッドクリップのうち、ディスクブレーキ装置に係る発明は、パッド支持部材と、少なくとも１対のパッドとを備えている。
このうちのパッド支持部材は、少なくとも１つ以上のパッドを軸方向の移動を可能に支持するものであり、対向ピストン型ディスクブレーキ装置の場合のキャリパ、フローティング型ディスクブレーキ装置の場合のサポートが相当する。
前記パッドは、ライニング（摩擦材）と、このライニングの裏面を支持した例えば金属製やカーボン製のプレッシャプレート（裏板）とを有している。
特に本発明のディスクブレーキ装置の場合には、前記パッド支持部材のうちで、前記プレッシャプレートの周方向端部に対し、周方向に対向する周方向内側面のうち、制動時又は非制動時に、周方向に関して前記プレッシャプレートの周方向端部と重畳する位置に、前記パッド支持部材の外面に連通する冷却孔を設けている。
【０００９】
本発明のディスクブレーキ装置を実施する場合には、前記冷却孔を周方向に形成する事ができる。
これに対し、前記パッド支持部材のうちで、前記プレッシャプレートの周方向端部に対し軸方向に対向する軸方向内側面に冷却孔を設ける場合には、この冷却孔を軸方向に形成する事ができる。
【００１０】
本発明のディスクブレーキ装置を実施する場合には、例えば請求項２に記載した発明の様に、前記冷却孔を、前記パッド支持部材のうちで、前記プレッシャプレートの周方向一方側の端部（回入側端部と回出側端部とのうちの一方）に対し、周方向に対向する周方向内側面のうち、制動時又は非制動時に、周方向に関して前記プレッシャプレートの周方向一方側の端部と重畳する位置に設けると共に、前記プレッシャプレートの周方向他方側の端部（回入側端部と回出側端部とのうちの他方）に対し、周方向に対向する周方向内側面と軸方向に対向する軸方向内側面との少なくとも何れか一方に設けることができる。
この場合に、前記パッド支持部材の周方向両端部（一方側の端部及び他方側の端部）にそれぞれ形成する冷却孔の種類（周方向冷却孔、軸方向冷却孔の相違）、形状及び数は、同じでも良いし異なっていても良い。例えば、回出側端部に設ける冷却孔の数を回入側端部に設ける冷却孔の数よりも多く（又は少なく）したり、回出側端部に設ける冷却孔の内径寸法（孔径）を、回入側端部に設ける冷却孔の内径寸法よりも大きく（又は小さく）したりする事もできる。
又、本発明のディスクブレーキ装置を実施する場合、前記冷却孔を、前記パッド支持部材のうちで、このパッド支持部材に支持された全てのパッド（例えば１対のパッドを備えるディスクブレーキ装置の場合には、アウタパッド及びインナパッド）に関して、プレッシャプレートの周方向端部と対向する周方向内側面に設ける事ができる。
或いは、前記冷却孔を、前記パッド支持部材のうちで、このパッド支持部材に支持されたパッドのうちの一部のパッド（例えば１対のパッドを備えるディスクブレーキ装置の場合には、アウタパッド又はインナパッド）に関して、プレッシャプレートの周方向端部と対向する周方向内側面に設けても良い。
【００１１】
又、本発明のディスクブレーキ装置を実施する場合には、例えば請求項３に記載した発明の様に、前記冷却孔が設けられた前記周方向内側面を、制動時に、前記パッドに作用するトルク（ブレーキ接線力）を支承するトルク受面とする事ができる。
或いは、前記周方向内側面に前記冷却孔を設ける場合にも、この周方向内側面によっては、前記パッドに作用するトルクを支承しない（例えばパッド支持部材に別途設けたピンやトルク支承部によりトルクを支承する）構成を採用する事もできる。
【００１２】
又、本発明の技術的範囲からは外れるが、前記周方向内側面に前記冷却孔を設ける場合にも、この冷却孔を、制動時及び非制動時の何れの場合にも、周方向に関して前記プレッシャプレートの周方向端部と重畳しない位置（例えばライニングとのみ重畳する位置）に設ける事もできる。
【００１３】
又、本発明のディスクブレーキ装置を実施する場合には、例えば請求項４に記載した発明の様に、前記パッド支持部材と前記パッドとの間にパッドクリップを設ける事ができる。そして、前記プレッシャプレートの周方向端部と前記周方向内側面との間に配置される前記パッドクリップの被挟持板部のうち、前記周方向内側面に設けられた前記冷却孔と整合する部分に、１乃至複数の貫通孔を設ける事ができる。
又、前記貫通孔を１つだけ設ける場合には、この貫通孔（の内径寸法）を、前記周方向内側面に開口した前記冷却孔の開口部（の内径寸法）と同じか、又はこれよりも大きくする事ができる。
【００１４】
又、本発明のディスクブレーキ装置を実施する場合には、例えば請求項５に記載した発明の様に、前記冷却孔が設けられた前記周方向内側面を、径方向外方から覆わずに径方向に露出させる事ができる。
【００１５】
又、本発明のディスクブレーキ装置を実施する場合には、例えば請求項６に記載した発明の様に、本発明のディスクブレーキ装置を対向ピストン型ディスクブレーキ装置とし、前記パッド支持部材を、この対向ピストン型ディスクブレーキ装置を構成するキャリパとする事ができる。
或いは、本発明のディスクブレーキ装置をフローティング型ディスクブレーキ装置とし、前記パッド支持部材を、このフローティング型ディスクブレーキ装置を構成するサポートとする事ができる。
【００１６】
又、本発明のディスクブレーキ装置を実施する場合に、前記冷却孔は、直線状に限らず、曲線状に形成する事もできるし、直線と曲線とを組み合わせた構成を採用する事もできる。
又、前記冷却孔の断面形状としては、円形や長円形、楕円形状等、応力集中が生じにくい形状を好ましく採用できるが、例えば応力集中を考慮する必要性の低い部位である場合や加工性等を考慮して、矩形状や三角形状などその他の形状を採用する事もできる。
又、前記冷却孔の内径寸法（断面形状）は、全長に亙り一定としても良いし、途中で異ならせる（例えばパッド支持部材の外面側での内径寸法をプレッシャプレート側での内径寸法よりも大きくする）事もできる。
【００１７】
又、前記パッド支持部材を鋳造加工により造る場合には、前記冷却孔を同時に形成しても良いし、ドリル等の工具を利用した切削加工（穴あけ加工）により形成しても良い。
【００１８】
又、本発明のディスクブレーキ装置を実施する場合には、前記パッド支持部材の外面のうちで、前記冷却孔が開口した部分の周囲に、この冷却孔の開口部に風を導く為の導風凹部を設ける事ができる。
【００１９】
これに対し、本発明のディスクブレーキ装置用パッドクリップは、パッド支持部材（対向ピストン型ディスクブレーキ装置の場合のキャリパ、フローティング型ディスクブレーキ装置の場合のサポート）に対し、パッドを軸方向の移動を可能に支持したディスクブレーキ装置に組み付けられるものである。
特に本発明のディスクブレーキ装置用パッドクリップの場合には、前記パッドを構成するプレッシャプレートの周方向端部と、このプレッシャプレートの周方向端部に対し周方向に対向する前記パッド支持部材の周方向内側面との間に配置される被挟持板部のうち、組み付け状態で、前記周方向内側面に設けられた冷却孔と整合する部分に、貫通孔を設けている。
【発明の効果】
【００２０】
上述の様な構成を有する本発明のディスクブレーキ装置及びディスクブレーキ装置用パッドクリップによれば、パッドを構成するプレッシャプレートからパッド支持部材に対して、制動時に発生した熱が伝わる事を有効に防止できる。
即ち、本発明のディスクブレーキ装置の場合には、前記パッド支持部材のうち、制動時に、前記プレッシャプレートの周方向端部と当接又は近接対向する事で、このプレッシャプレートから熱が直接伝わる部分又はその近傍に位置する、前記プレッシャプレートの周方向端部に対し周方向に対向する周方向内側面に、前記パッド支持部材の外面に連通する冷却孔を設けている。
この為、本発明によれば、前記パッド支持部材の外部から取り込んだ風（例えばダクトから送られた風や走行風）を、前記冷却孔を通じて、前記プレッシャプレートの周方向端部に向け直接導く（送り込む）事ができ、伝熱部であるこのプレッシャプレートの周方向端部を効率良く冷却できる。又、前記冷却孔の内側を風が通過する事で、前記パッド支持部材のうち、前記プレッシャプレートから熱が直接伝わる部分又はその近傍部分を効果的に冷却できる。この結果、本発明によれば、前記プレッシャプレートから前記パッド支持部材に対して熱が伝わる事を有効に防止でき、このパッド支持部材が高温になる事を有効に防止できる。これにより、このパッド支持部材に変形が生じたり、ベーパーロック現象が生じたりする事を有効に防止できる。
【００２１】
更に、本発明のディスクブレーキ装置用パッドクリップによれば、プレッシャプレートの周方向端部と前記パッド支持部材の周方向内側面との間に配置される被挟持板部のうち、組み付け状態で、この周方向内側面に設けられた冷却孔と整合する部分に貫通孔を設けている。
この為、前記冷却孔を通じて導かれた風が、前記パッドクリップのうちの被挟持板部により遮られる（塞がれる）事を防止して、この風を、前記貫通孔を通じて前記プレッシャプレートの周方向端部に直接導く事ができる。この結果、本発明によれば、前記パッドクリップを設ける場合にも、前記プレッシャプレートの周方向端部を効率良く冷却する事ができ、前記プレッシャプレートから前記パッド支持部材に対し熱が伝わる事を有効に防止できる。
【図面の簡単な説明】
【００２２】
【図１】本発明の実施の形態の第１例を示す、対向ピストン型ディスクブレーキ装置の正面図。
【図２】同じく平面図。
【図３】同じく底面図。
【図４】同じく右側面図。
【図５】同じく左側面図。
【図６】同じく背面図。
【図７】同じく回入側且つ径方向外方から見た斜視図。
【図８】同じく回出側且つ径方向外方から見た斜視図。
【図９】同じく図２のＡ−Ａ断面図。
【図１０】同じく図２のＢ−Ｂ断面図。
【図１１】同じく図２のＣ−Ｃ断面図。
【図１２】同じく１対のパッドを省略した状態で示す、図１に相当する図。
【図１３】同じく１対のパッドを省略した状態で示す、図２に相当する図。
【図１４】同じく１対のパッドを省略した状態で示す、図３に相当する図。
【図１５】同じく１対のパッドを省略した状態で示す、図４に相当する図。
【図１６】同じく１対のパッドを省略した状態で示す、図５に相当する図。
【図１７】同じく１対のパッドを省略した状態で示す、図６に相当する図。
【図１８】同じく１対のパッドを省略した状態で示す、図７に相当する図。
【図１９】同じく１対のパッドを省略した状態で示す、図８に相当する図。
【図２０】同じく図１３のＤ−Ｄ断面図。
【図２１】同じく図１３のＥ−Ｅ断面図。
【図２２】同じく図１３のＦ−Ｆ断面図。
【図２３】同じくパッドクリップを取り出して示す、正面図（Ａ）、平面図（Ｂ）、右側面図（Ｃ）、及び、背面図（Ｄ）。
【図２４】同じくパッドクリップを取り出して示す、正面側且つ径方向内方から見た状態で示す斜視図（Ａ）、及び、背面側且つ径方向外方から見た状態で示す斜視図（Ｂ）。
【図２５】本発明の実施の形態の第２例のフローティング型ディスクブレーキ装置を、キャリパを省略した状態で示す斜視図。
【図２６】同じく１対のパッドを省略した状態で示す、図２５に相当する図。
【発明を実施するための形態】
【００２３】
［実施の形態の第１例］
本発明の実施の形態の第１例に就いて、図１〜２４を参照しつつ説明する。本例の対向ピストン型ディスクブレーキ装置１は、大別して、キャリパ２と、１対のパッド３、４（インナパッド３、アウタパッド４）と、１対のパッドクリップ５ａ、５ｂとを備えている。
【００２４】
前記キャリパ２は、アルミニウム合金等の軽合金や鉄系合金の鋳造等により一体成形されたもので、インナボディ部６と、アウタボディ部７と、回入側連結部８と、回出側連結部９と、開口部１０と、中央ブリッジ部１１と、４本の補強ブリッジ部１２、１３（回入側補強ブリッジ部１２ａ、１２ｂ及び回出側補強ブリッジ部１３ａ、１３ｂ）とを備えている。又、本例の場合、使用時には、図示しない冷却用ダクトにより、前記キャリパ２全体を覆う。
【００２５】
このうちのインナボディ部６は、車輪と共に回転するロータ１４（図２参照）のインナ側面に対向する状態で設けられるもので、それぞれがこのインナ側面に向けて開口する、複数個（図示の例では２個）のインナシリンダ１５ａ、１５ｂを有する。又、前記インナボディ部６のアウタ側面（軸方向内側面、インナ、アウタ両ボディ部６、７同士が対向する面）の周方向両端部に、それぞれ軸方向に張り出したインナ側張出壁部１６ａ、１６ｂを設けている。又、これら両インナ側張出壁部１６ａ、１６ｂの径方向内端部に、周方向に関して互いに近づく方向に突出した、インナ側係合凸部１７ａ、１７ｂを設けている。そして、周方向に関して対向する前記両インナ側張出壁部１６ａ、１６ｂの周方向内側面（インナ側係合凸部１７ａ、１７ｂが設けられた部分を除く）同士の間隔を、前記インナパッド３を構成するプレッシャプレート１８の周方向長さ寸法よりも僅かに大きくしている。これに対し、周方向に関して互いに対向する前記両インナ側係合凸部１７ａ、１７ｂの先端面同士の間隔を、前記プレッシャプレート１８の周方向長さ寸法よりも小さくしている。
【００２６】
前記ディスクブレーキ装置１の組立状態では、前記インナパッド３を、前記両インナ側張出壁部１６ａ、１６ｂの周方向内側面同士の間に、前記各パッドクリップ５ａ、５ｂを介して配置すると共に、前記インナパッド３（プレッシャプレート１８）の周方向両端部を、前記両インナ側係合凸部１７ａ、１７ｂに対し、軸方向の変位を可能に係合させる。従って、本例の場合には、前記インナボディ部６の回入側に一体的に設けられたインナ側張出壁部１６ａの周方向内側面及びインナ側係合凸部１７ａの径方向外側面が、インナ側の回入側トルク受面（受部）１９ａを構成し、同じく回出側に一体的に設けられたインナ側張出壁部１６ｂの周方向内側面及びインナ側係合凸部１７ｂの径方向外側面が、インナ側の回出側トルク受面（受部）２０ａを構成する。又、この様なインナボディ部６の外面には、前記キャリパ２を図示しないナックルに支持固定する為のボルトを挿通する取付孔２１、２１の他、給油ポート等を設けている。前記インナシリンダ１５ａ、１５ｂ及び次述するアウタシリンダ２２ａ、２２ｂ内には、この給油ポートを通じて圧油を給排する。
【００２７】
前記アウタボディ部７は、前記ロータ１４のアウタ側面に対向する状態で設けられるもので、それぞれがこのアウタ側面に向けて開口する、複数個（図示の例では２個）のアウタシリンダ２２ａ、２２ｂを有する。又、前記アウタボディ部７のインナ側面（軸方向内側面）の周方向両端部に、それぞれ軸方向に張り出したアウタ側張出壁部２３ａ、２３ｂを設けている。又、これら両アウタ側張出壁部２３ａ、２３ｂの径方向内端部に、周方向に関して互いに近づく方向に突出した、アウタ側係合凸部２４ａ、２４ｂを設けている。そして、周方向に関して対向する前記両アウタ側張出壁部２３ａ、２３ｂの周方向内側面（アウタ側係合凸部２４ａ、２４ｂが設けられた部分を除く）同士の間隔を、前記アウタパッド４を構成するプレッシャプレート２５の周方向長さ寸法よりも僅かに大きくしている。これに対し、周方向に関して対向する前記両アウタ側係合凸部２４ａ、２４ｂの先端面同士の間隔を、前記プレッシャプレート２５の周方向長さ寸法よりも小さくしている。
【００２８】
前記ディスクブレーキ装置１の組立状態では、前記アウタパッド４を、前記両アウタ側張出壁部２３ａ、２３ｂの周方向内側面同士の間に、前記各パッドクリップ５ａ、５ｂを介して配置すると共に、前記アウタパッド４（プレッシャプレート２５）の周方向両端部を前記両アウタ側係合凸部２４ａ、２４ｂに対し、軸方向の変位を可能に係合させる。従って、本例の場合には、前記アウタボディ部７の回入側に一体的に設けられたアウタ側張出壁部２３ａの周方向内側面及びアウタ側係合凸部２４ａの径方向外側面が、アウタ側の回入側トルク受面１９ｂを構成し、同じく回出側に一体的に設けられたアウタ側張出壁部２３ｂの周方向内側面及びアウタ側係合凸部２４ｂの径方向外側面が、アウタ側の回出側トルク受面２０ｂを構成する。
尚、ディスクブレーキ装置１を組み立てた状態で、前記インナ側張出壁部１６ａ、１６ｂと前記アウタ側張出壁部２３ａ、２３ｂとの互いに対向する軸方向内側面同士の間に、前記ロータ１４の外周縁部が入り込む。
【００２９】
前記回入側、回出側両連結部８、９は、前記ロータ１４の外周縁よりも径方向外側に設けられて、前記インナボディ部６の周方向両端部と前記アウタボディ部７の周方向両端部とを互いに連結している。より具体的には、前記回入側連結部８は、前記インナボディ部６の回入側端部と前記アウタボディ部７の回入側端部とを互いに軸方向に連結しており、前記回出側連結部９は、前記インナボディ部６の回出側端部と前記アウタボディ部７の回出側端部とを互いに軸方向に連結している。
【００３０】
そして、前記インナ、アウタ両ボディ部６、７と前記回入側、回出側両連結部８、９とにより四周を囲まれた部分を、径方向に貫通する、平面視略矩形状の前記開口部１０としている。本例の場合には、この開口部１０の周方向長さ寸法を大きく確保すべく、この開口部１０の周方向両端部の周方向位置（回入側、回出側両連結部８、９の内端縁の位置）を、前記回入側、回出側各トルク受面１９ａ、１９ｂ、２０ａ、２０ｂを構成する前記インナ側、アウタ側各張出壁部１６ａ、１６ｂ、２３ａ、２３ｂの周方向内側面の周方向位置と一致させている。この為、前記開口部１０の周方向両端部の周方向位置は、前記回入側、回出側各トルク受面１９ａ、１９ｂ、２０ａ、２０ｂを構成する前記インナ側、アウタ側各係合凸部１７ａ、１７ｂ、２４ａ、２４ｂよりも周方向外側に位置している。
【００３１】
又、前記開口部１０の周方向中央部分で、前記インナ、アウタ両ボディ部６、７の周方向中間部同士を、軸方向（ロータ１４の中心軸とほぼ平行）に配置されると共に前記ロータ１４の外周縁よりも径方向外方に設けられた、前記中央ブリッジ部１１により連結している。本例の場合、この中央ブリッジ部１１のインナ側端部を二股状に構成し、前記インナボディ部６のうちのインナシリンダ１５ａ、１５ｂとそれぞれ整合する部分に連結すると共に、同じくアウタ側端部を二股状に構成し、前記アウタボディ部７のうちのアウタシリンダ２２ａ、２２ｂとそれぞれ整合する部分に連結している。又、前記中央ブリッジ部１１の軸方向中間部には、径方向に貫通した通孔２６が設けられている。本例の場合、この様な中央ブリッジ部１１により、前記開口部１０を周方向に２分割している。
【００３２】
又、前記回入側連結部８のうち、前記開口部１０の周方向端部を仕切る内端縁の軸方向中央部と、前記インナボディ部６及び前記アウタボディ部７との間部分に、軸方向に対して傾斜した回入側補強ブリッジ部１２ａ、１２ｂを、前記ロータ１４の外周縁よりも径方向外側に略Ｖ字状に掛け渡す様に設けている。又、前記回出側連結部９のうち、前記開口部１０の周方向端部を仕切る内端縁の軸方向中央部と、前記インナボディ部６及び前記アウタボディ部７との間部分に、軸方向に対して傾斜した回出側補強ブリッジ部１３ａ、１３ｂを、前記ロータ１４の外周縁よりも径方向外側に略Ｖ字状に掛け渡す様に設けている。
【００３３】
又、前記回入側補強ブリッジ部１２ａ、１２ｂのうち、インナ側の回入側補強ブリッジ部１２ａの周方向内端部（中央側端部）は、前記インナボディ部６のうち回入側に配置されたインナシリンダ１５ａと整合する部分に連結されており、アウタ側の回入側補強ブリッジ部１２ｂの周方向内端部（中央側端部）は、前記アウタボディ部７のうち回入側に配置されたアウタシリンダ２２ａと整合する部分に連結されている。これに対し、前記インナ側の回入側補強ブリッジ部１２ａの周方向外端部（回入側端部）と、前記アウタ側の回入側補強ブリッジ部１２ｂの周方向外端部（回入側端部）とは、周方向に伸長する回入側中継部２７を介して、前記回入側連結部８に接続されている。より具体的には、この回入側連結部８の内端縁の軸方向中央部から周方向内側に向けて延出する状態で設けられた前記回入側中継部２７の周方向内端縁に、前記両回入側補強ブリッジ部１２ａ、１２ｂの周方向外端部を互いに連結する状態で接続している。
【００３４】
一方、前記回出側補強ブリッジ部１３ａ、１３ｂのうち、インナ側の回出側補強ブリッジ部１３ａの周方向内端部（中央側端部）は、前記インナボディ部６のうち回出側に配置されたインナシリンダ１５ｂと整合する部分に連結されており、アウタ側の回出側補強ブリッジ部１３ｂの周方向内端部（中央側端部）は、前記アウタボディ部７のうち回出側に配置されたアウタシリンダ２２ｂと整合する部分に連結されている。これに対し、前記インナ側の回出側補強ブリッジ部１３ａの周方向外端部（回出側端部）と、前記アウタ側の回出側補強ブリッジ部１３ｂの周方向外端部（回出側端部）とは、周方向に伸長する回出側中継部２８を介して、前記回出側連結部９に接続されている。より具体的には、この回出側連結部９の内端縁の軸方向中央部から周方向内側に向けて延出する状態で設けられた前記回出側中継部２８の周方向内端縁に、前記両回出側補強ブリッジ部１３ａ、１３ｂの周方向外端部を互いに連結する状態で接続している。
【００３５】
又、上述の様な構成を有する回入側、回出側各補強ブリッジ部１２ａ、１２ｂ、１３ａ、１３ｂを設ける事により、前記開口部１０のうちの４つの隅角部に、これら回入側、回出側各補強ブリッジ部１２ａ、１２ｂ、１３ａ、１３ｂにより他の部分（内側部分）と分割された、略台形状の隅角開口部２９ａ、２９ｂ、２９ｃ、２９ｄを形成している。そして、これら隅角開口部２９ａ、２９ｂ、２９ｃ、２９ｄを通じて、前記回入側、回出側各トルク受面１９ａ、１９ｂ、２０ａ、２０ｂを径方向外方に露出させている。更に、前記回入側、回出側各補強ブリッジ部１２ａ、１２ｂ、１３ａ、１３ｂの径方向厚さ寸法や径方向に関する配置位置等を調節する事により、前記各隅角開口部２９ａ、２９ｂ、２９ｃ、２９ｄを、径方向だけでなく、軸方向に開口させると共に、周方向にも開口させている。
【００３６】
特に本例の場合には、制動時に、前記ロータ１４の軸方向両側面と前記インナ、アウタ各パッド３、４を構成するライニング３０、３１との当接部で発生した摩擦熱が、これらインナ、アウタ各パッド３、４を構成するプレッシャプレート１８、２５を介して前記キャリパ２に伝わる事を防止する為に、このキャリパ２に、次の様な工夫を施している。
【００３７】
即ち、前記インナパッド３の組み付け状態で、前記キャリパ２のうち、前記プレッシャプレート１８の周方向両端部と周方向にそれぞれ対向し、前記回入側、回出側各トルク受面１９ａ、２０ａを構成する前記各インナ側張出壁部１６ａ、１６ｂの周方向内側面のうちの径方向中間部（インナ側係合凸部１７ａ、１７ｂよりも径方向外側）に、それぞれインナ側周方向冷却孔３２ａ、３２ｂを設けている（開口させている）。これら両インナ側周方向冷却孔３２ａ、３２ｂのうち、回入側に設けられたインナ側周方向冷却孔３２ａは、前記キャリパ２のうち前記回入側連結部８の外面（外周面）の周方向中間部に連通しており、回出側に設けられたインナ側周方向冷却孔３２ｂは、前記回出側連結部９の外面（外周面）の周方向中間部に連通している。又、前記各インナ側周方向冷却孔３２ａ、３２ｂは、断面略円形状で、それぞれ周方向内側に向かう程径方向内方に向かう方向に傾斜した状態で周方向に形成されており、周方向両端部のみが開口している。又、前記各インナ側周方向冷却孔３２ａ、３２ｂは、前記各インナ側張出壁部１６ａ、１６ｂの周方向内側面のうち、制動時に、周方向に関して前記プレッシャプレート１８の周方向端部とそれぞれ重畳する位置に設けられている。言い換えれば、非制動時には、前記各インナ側周方向冷却孔３２ａ、３２ｂは、周方向に関して前記インナパッド３を構成するライニング３０の周方向端部とそれぞれ重畳している。
【００３８】
又、前記アウタパッド４の組み付け状態で、前記キャリパ２のうち、前記プレッシャプレート２５の周方向両端部と周方向にそれぞれ対向し、前記回入側、回出側各トルク受面１９ｂ、２０ｂを構成する前記各アウタ側張出壁部２３ａ、２３ｂの周方向内側面のうちの径方向中間部（アウタ側係合凸部２４ａ、２４ｂよりも径方向外側）に、それぞれアウタ側周方向冷却孔３３ａ、３３ｂを設けている（開口させている）。これらアウタ側周方向冷却孔３３ａ、３３ｂのうち、回入側に設けられたアウタ側周方向冷却孔３３ａは、前記キャリパ２のうち前記回入側連結部８の外面（外周面）の周方向中間部に連通しており、回出側に設けられたアウタ側周方向冷却孔３３ｂは、前記回出側連結部９の外面（外周面）の周方向中間部に連通している。又、前記各アウタ側周方向冷却孔３３ａ、３３ｂは、断面略円形状で、それぞれ周方向内側に向かう程径方向内方に向かう方向に傾斜した状態で周方向に形成されており、周方向両端部のみが開口している。又、前記各アウタ側周方向冷却孔３３ａ、３３ｂは、前記各アウタ側張出壁部２３ａ、２３ｂの周方向内側面のうち、制動時に、周方向に関して前記プレッシャプレート２５の周方向端部とそれぞれ重畳する位置に設けられている。言い換えれば、非制動時には、前記各アウタ側周方向冷却孔３３ａ、３３ｂは、周方向に関して前記アウタパッド４を構成するライニング３１の周方向端部とそれぞれ重畳している。
【００３９】
又、前記インナパッド３の組み付け状態で、前記キャリパ２のうち、前記プレッシャプレート１８の周方向両端部と軸方向にそれぞれ対向する、前記インナボディ部６の周方向両端寄り部分のアウタ側面（軸方向内側面）のうちの径方向中間部に、それぞれインナ側軸方向冷却孔３４ａ、３４ｂを設けている（開口させている）。これら各インナ側軸方向冷却孔３４ａ、３４ｂは、前記インナボディ部６のインナ側面（軸方向外側面）のうち、前記両インナシリンダ１５ａ、１５ｂから周方向外側に外れた部分にそれぞれ連通している。又、前記各インナ側軸方向冷却孔３４ａ、３４ｂは、断面略長円形状で、それぞれ軸方向に関して前記ロータ１４に近づく程周方向内方に向かう方向に傾斜した状態でそれぞれ軸方向に形成されており、軸方向両端部のみが開口している。
【００４０】
更に、前記アウタパッド４の組み付け状態で、前記キャリパ２のうち、前記プレッシャプレート２５の周方向両端部と軸方向にそれぞれ対向する、前記アウタボディ部７の周方向両端寄り部分のインナ側面（軸方向内側面）のうちの径方向中間部に、それぞれアウタ側軸方向冷却孔３５ａ、３５ｂを設けている（開口させている）。これら各アウタ側軸方向冷却孔３５ａ、３５ｂは、前記アウタボディ部７のアウタ側面（軸方向外側面）のうち、前記両アウタシリンダ２２ａ、２２ｂから周方向外側に外れた部分にそれぞれ連通している。又、前記各アウタ側軸方向冷却孔３５ａ、３５ｂは、断面略長円形状で、それぞれ軸方向に関して前記ロータ１４に近づく程周方向内方に向かう方向に傾斜した状態で軸方向に形成されており、軸方向両端部のみが開口している。
【００４１】
又、本例の場合、前記インナパッド３を構成するプレッシャプレート１８の周方向両端部のうち、回入側の端部にそれぞれ対向する状態で設けられた、前記インナ側周方向冷却孔３２ａ（の開口部）と前記インナ側軸方向冷却孔３４ａ（の開口部）とを、このうちのインナ側周方向冷却孔３２ａがインナ側軸方向冷却孔３４ａよりも上方に位置する様に配置している。又、前記プレッシャプレート１８の回出側の端部にそれぞれ対向する状態で設けられた、前記インナ側周方向冷却孔３２ｂ（の開口部）と前記インナ側軸方向冷却孔３４ｂ（の開口部）とを、このうちのインナ側周方向冷却孔３２ｂがインナ側軸方向冷却孔３４ｂよりも上方に位置する様に配置している。
【００４２】
同様に、前記アウタパッド４を構成するプレッシャプレート２５の周方向両端部のうち、回入側の端部にそれぞれ対向する状態で設けられた、前記アウタ側周方向冷却孔３３ａ（の開口部）と前記アウタ側軸方向冷却孔３５ａ（の開口部）とを、このうちのアウタ側周方向冷却孔３３ａがアウタ側軸方向冷却孔３５ａよりも上方に位置する様に配置している。又、前記プレッシャプレート２５の回出側の端部にそれぞれ対向する状態で設けられた、前記アウタ側周方向冷却孔３３ｂ（の開口部）と前記アウタ側軸方向冷却孔３５ｂ（の開口部）とを、このうちのアウタ側周方向冷却孔３３ｂがアウタ側軸方向冷却孔３５ｂよりも上方に位置する様に配置している。
【００４３】
又、前記インナ側、アウタ側各周方向冷却孔３２ａ、３２ｂ、３３ａ、３３ｂ及び前記インナ側、アウタ側各軸方向冷却孔３４ａ、３４ｂ、３５ａ、３５ｂは、前記キャリパ２を鋳造加工により造る際に、同時に形成している。
【００４４】
又、前記キャリパ２のうち、前記アウタ側周方向冷却孔３３ａ、３３ｂが開口部した前記回入側、回出側各連結部８、９の外周面の周囲に、前記冷却用ダクトから送られた風を、前記アウタ側周方向冷却孔３３ａ、３３ｂの開口部に導く（集める）為の、径方向に凹んだ導風凹部４５ａ、４５ｂを設けている。又、前記キャリパ２のうち、前記アウタ側軸方向冷却孔３５ａ、３５ｂが開口部した前記アウタボディ部７の外面の周囲に、前記冷却用ダクトから導かれた風を、前記アウタ側軸方向冷却孔３５ａ、３５ｂの開口部に導く為の、軸方向に凹んだ導風凹部４６ａ、４６ｂを設けている。
【００４５】
又、本例のディスクブレーキ装置１の場合には、前記回入側、回出側各トルク受面１９ａ、１９ｂ、２０ａ、２０ｂと、前記インナ、アウタ両パッド３、４を構成するプレッシャプレート１８、２５の周方向両端部との間部分には、それぞれ前記各パッドクリップ５ａ、５ｂを設けている。
【００４６】
前記各パッドクリップ５ａ、５ｂは、前記回入側、回出側各トルク受面１９ａ、１９ｂ、２０ａ、２０ｂと、前記各プレッシャプレート１８、２５の周方向両端部との摺動部が錆び付く事を防止すると共に、この摺動部での摩耗を生じにくくして、前記インナ、アウタ両パッド３、４の挙動を安定させる為のものである。
【００４７】
前記各パッドクリップ５ａ、５ｂは、ステンレスのばね鋼板等の、耐食性及び弾性を有する金属板を曲げ形成して成るもので、図２３、２４に示す様に、全体を略Ｈ字形に構成しており、１対の脚部３６、３６と、これら両脚部３６、３６の径方向外端部（上端部）同士を軸方向に連結する連結部３７と、これら両脚部３６、３６の径方向外端部から径方向外方に向かう程周方向内側に向かう方向に傾斜した１対の支持腕部３８、３８とを備える。
【００４８】
前記両脚部３６、３６は、前記インナ側、アウタ側各張出壁部１６ａ、１６ｂ、２３ａ、２３ｂの周方向内側面と、前記各プレッシャプレート１８、２５の周方向側面との間に挟持される被挟持板部３９、３９と、これら各被挟持板部３９、３９の内径側端部から周方向内側に直角に折れ曲がり、前記インナ側、アウタ側各係合凸部１７ａ、１７ｂ、２４ａ、２４ｂの径方向外側面と、前記各プレッシャプレート１８、２５の周方向端部の径方向内側面との間に配置される折れ曲がり部４０、４０を備えている。そして特に、本例の場合には、前記各被挟持板部３９、３９のうち、前記インナ側、アウタ側各周方向冷却孔３２ａ、３２ｂ、３３ａ、３３ｂとそれぞれ整合する部分に、円形状の貫通孔４１、４１を設けている。又、これら各貫通孔４１、４１の内径寸法は、前記インナ側、アウタ側各張出壁部１６ａ、１６ｂ、２３ａ、２３ｂの周方向内側面に開口した前記インナ側、アウタ側各周方向冷却孔３２ａ、３２ｂ、３３ａ、３３ｂの内径寸法と同じか、これよりも大きくなっている。
【００４９】
又、前記両支持腕部３８、３８は、それぞれの先端部を、前記回入側、回出側各補強ブリッジ部１２ａ、１２ｂ、１３ａ、１３ｂの径方向内側面に弾性的に当接させて、前記各パッドクリップ５ａ、５ｂが前記キャリパ２から脱落するのを防止している。又、前記両支持腕部３８、３８のうち、前記各隅角開口部２９ａ、２９ｂ、２９ｃ、２９ｄと整合する部分（基半部）には、それぞれ略三角形状の通孔４２、４２を有している。
【００５０】
本例のディスクブレーキ装置１の場合にも、制動時には、前記給油ポートを通じて、前記各インナシリンダ１５ａ、１５ｂに油密に嵌装したインナピストン４３ａ、４３ｂにより、前記インナボディ部６に支持された前記インナパッド３のライニング３０を、前記ロータ１４のインナ側面に押し付ける。同様に、前記各アウタシリンダ２２ａ、２２ｂに油密に嵌装したアウタピストン４４ａ、４４ｂにより、前記アウタボディ部７に支持されたアウタパッド４のライニング３１を、前記ロータ１４のアウタ側面に押し付ける。これにより、このロータ１４が、前記インナパッド３と前記アウタパッド４とにより、軸方向両側から強く挟持される。そして、これらインナ、アウタ両パッド３、４と前記ロータ１４の軸方向両側面との摩擦により制動が行われる。又、制動時に、これらインナ、アウタ両パッド３、４に作用するトルクは、前記ロータ１４を挟んでインナ側とアウタ側とにそれぞれ設けられた、前記回入側、回出側各トルク受面１９ａ、１９ｂ、２０ａ、２０ｂにより、それぞれ支承される。
【００５１】
特に本例のディスクブレーキ装置１によれば、前記インナ、アウタ各パッド３、４を構成するプレッシャプレート１８、２５から前記キャリパ２に対して、制動時に発生した熱が伝わる事を有効に防止できる。
即ち、本例の場合には、前記キャリパ２のうち、制動時に、前記各プレッシャプレート１８、２５の周方向端部と当接する（パッドクリップ５ａ、５ｂを介して当接する）事で、これら各プレッシャプレート１８、２５から熱が伝わる部分となる、前記各インナ側、アウタ側各張出壁部１６ａ、１６ｂ、２３ａ、２３ｂの周方向内側面に、前記インナ側、アウタ側各周方向冷却孔３２ａ、３２ｂ、３３ａ、３３ｂを設けている。加えて、前記キャリパ２のうち、制動時に、前記各プレッシャプレート１８、２５の周方向端部と当接する事で、これら各プレッシャプレート１８、２５から熱が伝わる部分の近傍に位置する、前記インナ、アウタ各ボディ部６、７の周方向両端寄り部分の軸方向内側面に、前記インナ側、アウタ側各軸方向冷却孔３４ａ、３４ｂ、３５ａ、３５ｂを設けている。
【００５２】
この為、本例の場合には、前記キャリパ２を覆った前記冷却用ダクトから送られた風を、前記インナ側、アウタ側各周方向冷却孔３２ａ、３２ｂ、３３ａ、３３ｂ、及び、前記インナ側、アウタ側各軸方向冷却孔３４ａ、３４ｂ、３５ａ、３５ｂを通じて、前記各プレッシャプレート１８、２５の周方向両端部に向け直接導く（送り込む）事ができ、伝熱部であるこれら各プレッシャプレート１８、２５の周方向両端部を効率良く冷却できる。又、前記インナ側、アウタ側各周方向冷却孔３２ａ、３２ｂ、３３ａ、３３ｂ、及び、前記インナ側、アウタ側各軸方向冷却孔３４ａ、３４ｂ、３５ａ、３５ｂの内側を風が通過する事で、前記キャリパ２のうち、前記各プレッシャプレート１８、２５から熱が伝わる部分又はその近傍部分を効果的に冷却できる。この結果、本例のディスクブレーキ装置１によれば、前記各プレッシャプレート１８、２５から前記キャリパ２に対して、制動時に発生した熱が伝わる事を有効に防止でき、このキャリパ２が高温になる事を有効に防止できる。これにより、このキャリパ２を、軽量化を目的としてアルミニウム合金製とした場合にも、このキャリパ２に変形が生じる事を有効に防止できる。又、このキャリパ２内の液温（油温）が上昇する事を防止でき、ベーパーロック現象が生じる事を有効に防止できる。
【００５３】
又、本例の場合には、前記各パッドクリップ５ａ、５ｂを構成する被挟持板部３９、３９のうち、組み付け状態で、前記インナ側、アウタ側各張出壁部１６ａ、１６ｂ、２３ａ、２３ｂの周方向内側面に開口した前記インナ側、アウタ側各周方向冷却孔３２ａ、３２ｂ、３３ａ、３３ｂと整合する部分に、前記各貫通孔４１、４１を設けている。この為、前記インナ側、アウタ側各周方向冷却孔３２ａ、３２ｂ、３３ａ、３３ｂを通じて導かれた風が、前記各被挟持板部３９、３９により遮られる（塞がれる）事を防止して、前記風を、前記各貫通孔４１、４１を通じて前記各プレッシャプレート１８、２５の周方向両端部に直接導く事ができる。この結果、本例の場合には、前記各パッドクリップ５ａ、５ｂを設けた場合にも、前記各プレッシャプレート１８、２５の周方向両端部を効率良く冷却する事ができ、これら各プレッシャプレート１８、２５から前記キャリパ２に対し、制動時に発生した熱が伝わる事を有効に防止できる。
【００５４】
又、本例の場合には、前記各インナ側周方向冷却孔３２ａ、３２ｂを、制動時に、周方向に関して前記プレッシャプレート１８の周方向端部とそれぞれ重畳する位置に設けると共に、前記各アウタ側周方向冷却孔３３ａ、３３ｂを、制動時に、周方向に関して前記プレッシャプレート２５の周方向端部とそれぞれ重畳する位置に設けている。この為、前記インナ側、アウタ側各周方向冷却孔３２ａ、３２ｂ、３３ａ、３３ｂを通じて、前記各プレッシャプレート１８、２５の周方向端部をより効果的に冷却できる。
【００５５】
又、本例の場合には、前記冷却用ダクトから送られた風を、前記各導風凹部４５ａ、４５ｂにより、前記アウタ側周方向冷却孔３３ａ、３３ｂの開口部に効果的に導く（集める）事ができると共に、前記各導風凹部４６ａ、４６ｂにより、前記アウタ側軸方向冷却孔３５ａ、３５ｂの開口部に効果的に導く事ができる。この為、前記アウタ側周方向冷却孔３３ａ、３３ｂ、及び、前記アウタ側軸方向冷却孔３５ａ、３５ｂから取り込まれる風の量を多くする事ができ、前記プレッシャプレート２５の周方向両端部を効果的に冷却する事ができる。更に、前記各導風凹部４６ａ、４６ｂを設けた事により、前記アウタ側軸方向冷却孔３５ａ、３５ｂの開口部を、軸方向だけでなく、周方向にも開口させている為、冷却風を、軸方向だけでなく、周方向からも取り込み易くできる。
【００５６】
又、本例の場合には、前記回入側、回出側両連結部８、９のうち、前記開口部１０の周方向端部を仕切る内端縁の軸方向中央部と、前記インナボディ部６及び前記アウタボディ部７との間部分にそれぞれ、前記回入側、回出側各補強ブリッジ部１２ａ、１２ｂ、１３ａ、１３ｂを架け渡す様に設けている。この為、この様な回入側、回出側各補強ブリッジ部１２ａ、１２ｂ、１３ａ、１３ｂを設けない場合に比べて、前記キャリパ２の剛性を効果的に向上させられる。特に、前記回入側補強ブリッジ部１２ａ、１２ｂの周方向内端部を、前記インナ、アウタ両ボディ部６、７のうち、回入側に存在するインナシリンダ１５ａ及びアウタシリンダ２２ａと整合する部分にそれぞれ接続すると共に、前記回出側補強ブリッジ部１３ａ、１３ｂの周方向内端部を、前記インナ、アウタ両ボディ部６、７のうち、回出側に存在するインナシリンダ１５ｂ及びアウタシリンダ２２ｂと整合する部分にそれぞれ接続している。この為、インナ、アウタ両ボディ部６、７同士が互いに軸方向に離れる方向に変位する事に対する剛性を効果的に向上できる。加えて、本例の場合には、前記開口部１０の周方向中央部分で、前記インナ、アウタ両ボディ６、７の周方向中間部同士を、前記中央ブリッジ部１１により連結している為、前記インナボディ部６と前記アウタボディ部７とが、互いに離れる方向に弾性変形するのをより有効に防止できる。更に、前記回入側、回出側各補強ブリッジ部１２ａ、１２ｂ、１３ａ、１３ｂを、軸方向に対して傾斜させている為、前記アウタボディ部７が前記インナボディ部６に対して前記ロータ１４の回転方向に弾性変形する事に対する剛性も効果的に向上できる。
【００５７】
又、本例の場合には、上述の様に剛性を向上させられる分、前記回入側、回出側両連結部８、９の周方向に関する幅寸法を短くして（開口部１０の周方向に関する幅寸法を長くして）、前記開口部１０のうちの隅角開口部２９ａ、２９ｂ、２９ｃ、２９ｄを通じて、前記回入側、回出側各トルク受面１９ａ、１９ｂ、２０ａ、２０ｂを径方向外方に露出させている。この為、これら各隅角開口部２９ａ、２９ｂ、２９ｃ、２９ｄを通じて、前記回入側、回出側各トルク受面１９ａ、１９ｂ、２０ａ、２０ｂを直接冷却する（冷却風を直接導く）事ができる。従って、この面からも前記キャリパ２の温度上昇を効果的に抑える事ができる。
【００５８】
又、前記各隅角開口部２９ａ、２９ｂ、２９ｃ、２９ｄを通じて、例えばエンドミル等の切削工具や研削工具等を、径方向外方から挿入する事により、前記キャリパ２の径方向外方から前記回入側、回出側各トルク受面１９ａ、１９ｂ、２０ａ、２０ｂの加工を行う事が可能になる。更に、前記回入側、回出側各補強ブリッジ部１２ａ、１２ｂ、１３ａ、１３ｂの周方向外端部を、前記回入側、回出側各中継部２７、２８を介して前記回入側、回出側各連結部８、９に接続している為、前記隅角開口部２９ａ、２９ｂ、２９ｃ、２９ｄのうちで、軸方向に関してロータ１４側（キャリパ２の中央側）に存在する部分の周方向長さ寸法を、前記回入側、回出側各中継部２７、２８を設けない場合に比べて大きくできる。この為、前記隅角開口部２９ａ、２９ｂ、２９ｃ、２９ｄを通じて前記回入側、回出側各トルク受面１９ａ、１９ｂ、２０ａ、２０ｂを加工する際に、これら回入側、回出側各トルク受面１９ａ、１９ｂ、２０ａ、２０ｂのうちで、軸方向に関してロータ１４側に存在する部分の加工性を向上する事ができる。
【００５９】
又、前記回入側、回出側各補強ブリッジ部１２ａ、１２ｂ、１３ａ、１３ｂの径方向内側面を利用して、前記各プレッシャプレート１８、２５の周方向端部と前記回入側、回出側各トルク受面１９ａ、１９ｂ、２０ａ、２０ｂとの間部分に配置した前記各パッドクリップ５ａ、５ｂを弾性的に支持する事ができる。この為、これら各パッドクリップ５ａ、５ｂを設けた事による、前記インナ、アウタ両パッド３、４の挙動の安定化を図る事ができる
【００６０】
更に、前記各隅角開口部２９ａ、２９ｂ、２９ｃ、２９ｄを、径方向だけでなく、軸方向及び周方向にも開口させている為、冷却風を、径方向だけでなく、軸方向及び周方向から、前記ロータ１４や前記インナ、アウタ両パッド３、４、更には前記回入側、回出側各トルク受面１９ａ、１９ｂ、２０ａ、２０ｂに導く事が可能になる為、冷却性の更なる向上を図る事が可能になる。
【００６１】
［実施の形態の第２例］
本発明の実施の形態の第２例に就いて、図２５〜２６を参照しつつ説明する。本例は、本発明をフローティング型ディスクブレーキ装置１ａに適用した場合を示している。
本例の場合、サポート４７の周方向両端部に設けた回入側、回出側両係合部４８、４９８の係止凹部５０、５０に、インナ側、アウタ側各パッド３ａ、４ａを構成するプレッシャプレート１８ａ、２５ａの周方向両端部に設けた係合突片５１を係合させる事により、前インナ側、アウタ側各パッド３ａ、４ａを軸方向の変位を可能に支持している。又、前記各係止凹部５０、５０と前記各係合突片５１との間に、パッドクリップ５ｃ、５ｄを介在させている。
【００６２】
そして本例の場合には、前記サポート４７のうち、前記プレッシャプレート１８ａ、２５ａの周方向両端部と周方向に対向する、前記各回入側、回出側両係合部４８、４９の周方向内側面に、これら各回入側、回出側両係合部４８、４９の外面（周方向外側面）に連通したインナ側、アウタ側各周方向冷却孔３２ｃ、３３ｃを設けている。更に、前記各パッドクリップ５ｃ、５ｄを構成する被挟持板部３９ａ、３９ａのうち、前記インナ側、アウタ側各周方向冷却孔３２ｃ、３３ｃと整合する部分に、それぞれ貫通孔４１ａ、４１ａを設けている。
【００６３】
以上の様な構成を有する本例の場合にも、前記インナ側、アウタ側各周方向冷却孔３２ｃ、３３ｃを通じて、前記各プレッシャプレート１８ａ、２５ａの周方向両端部に向け風を直接導く（送り込む）事ができ、伝熱部であるこれら各プレッシャプレート１８ａ、２５ａの周方向両端部を効率良く冷却できる。又、前記インナ側、アウタ側各周方向冷却孔３２ｃ、３３ｃの内側を風が通過する事で、前記サポート４７のうち、前記各プレッシャプレート１８ａ、２５ａから熱が伝わる部分（係止凹部５０の内面）を効果的に冷却できる。この結果、本例のディスクブレーキ装置１ａによれば、前記各プレッシャプレート１８ａ、２５ａから前記サポート４７に対して、制動時に発生した熱が伝わる事を有効に防止でき、このサポート４７が高温になる事を有効に防止できる。
その他の構成及び作用効果に就いては、前記実施の形態の第１例の場合とほぼ同様である。
【産業上の利用可能性】
【００６４】
本発明を、対向ピストン型のディスクブレーキ装置に適用する場合に、パッド支持部材に相当するキャリパは、例えばアルミニウム合金等の材料により一体的に構成されたモノコック構造（一体構造）としても良いし、インナ側の部材とアウタ側の部材とをボルトにより連結した構造としても良い。又、キャリパに設けるインナ、アウタ各シリンダの数は、実施の形態で説明した様な２個に限定されず、１個でも良いし、３個、更には、４個以上でも良い。更に、本発明を実施する場合に、回入側、回出側各トルク受部の形状は、前記実施の形態の形状に限定されず、従来から知られた各種形状（例えば張出壁部の周方向内側面の径方向中間部が凹んだ形状等）を採用する事ができる。
【符号の説明】
【００６５】
１、１ａ  ディスクブレーキ装置
２    キャリパ
３、３ａ  パッド（インナパッド）
４、４ａ  パッド（アウタパッド）
５ａ、５ｂ、５ｃ、５ｄ  パッドクリップ
６    インナボディ部
７    アウタボディ部
８    回入側連結部
９    回出側連結部
１０    開口部
１１    中央ブリッジ部
１２ａ、１２ｂ  回入側補強ブリッジ部
１３ａ、１３ｂ  回出側補強ブリッジ部
１４    ロータ
１５ａ、１５ｂ  インナシリンダ
１６ａ、１６ｂ  インナ側張出壁部
１７ａ、１７ｂ  インナ側係合凸部
１８、１８ａ  プレッシャプレート
１９ａ、１９ｂ  回入側トルク受面
２０ａ、２０ｂ  回出側トルク受面
２１    取付孔
２２ａ、２２ｂ  アウタシリンダ
２３ａ、２３ｂ  アウタ側張出壁部
２４ａ、２４ｂ  アウタ側係合凸部
２５、２５ａ  プレッシャプレート
２６    通孔
２７    回入側中継部
２８    回出側中継部
２９ａ、２９ｂ、２９ｃ、２９ｄ  隅角開口部
３０    ライニング
３１    ライニング
３２ａ、３２ｂ、３３ｃ  インナ側周方向冷却孔
３３ａ、３３ｂ、３３ｃ  アウタ側周方向冷却孔
３４ａ、３４ｂ  インナ側軸方向冷却孔
３５ａ、３５ｂ  アウタ側軸方向冷却孔
３６    脚部
３７    連結部
３８    支持腕部
３９、３９ａ  被挟持板部
４０    折れ曲がり部
４１、４１ａ  貫通孔
４２    通孔
４３ａ、４３ｂ  インナピストン
４４ａ、４４ｂ  アウタピストン
４５ａ、４５ｂ  導風凹部
４６ａ、４６ｂ  導風凹部
４７    サポート
４８    回入側係合部
４９    回出側係合部
５０    係止凹部
５１    係合突片
【図１】
0006656756.tif 000002
【図２】
0006656756.tif 000003
【図３】
0006656756.tif 000004
【図４】
0006656756.tif 000005
【図５】
0006656756.tif 000006
【図６】
0006656756.tif 000007
【図７】
0006656756.tif 000008
【図８】
0006656756.tif 000009
【図９】
0006656756.tif 000010
【図１０】
0006656756.tif 000011
【図１１】
0006656756.tif 000012
【図１２】
0006656756.tif 000013
【図１３】
0006656756.tif 000014
【図１４】
0006656756.tif 000015
【図１５】
0006656756.tif 000016
【図１６】
0006656756.tif 000017
【図１７】
0006656756.tif 000018
【図１８】
0006656756.tif 000019
【図１９】
0006656756.tif 000020
【図２０】
0006656756.tif 000021
【図２１】
0006656756.tif 000022
【図２２】
0006656756.tif 000023
【図２３】
0006656756.tif 000024
【図２４】
0006656756.tif 000025
【図２５】
0006656756.tif 000026
【図２６】
0006656756.tif 000027